(57)【要約】【課題】快適な室内環境を実現しうる。【解決手段】熱エネルギーを集める集熱手段１５、熱エネルギーを蓄える蓄熱手段１６、集熱手段１５の熱エネルギーで温められた空気を蓄熱手段１６に供給する蓄熱流路１７、及び、蓄熱手段１６で温められた空気を居室Ｌへ供給する放熱流路１８を含む建物Ｂにおいて、居室の温度を制御する。集熱手段１５の温度が蓄熱手段１６の温度よりも高い場合、集熱手段１５の熱エネルギーを蓄熱手段１６に供給し、かつ、蓄熱手段１６の熱エネルギーを居室Ｌへ供給しない蓄熱工程を含んでいる。【選択図】図２
2015183961.tif 000002
【特許請求の範囲】
【請求項１】
熱エネルギーを集める集熱手段、熱エネルギーを蓄える蓄熱手段、前記集熱手段の熱エネルギーで温められた空気を前記蓄熱手段に供給する蓄熱流路、及び、前記蓄熱手段で温められた空気を居室へ供給する放熱流路を含む建物において、前記居室の温度を制御するための方法であって、
前記集熱手段の温度が前記蓄熱手段の温度よりも高い場合、前記集熱手段の熱エネルギーを前記蓄熱手段に供給し、かつ、前記蓄熱手段の熱エネルギーを前記居室へ供給しない蓄熱工程を含むことを特徴とする居室の温度制御方法。
【請求項２】
前記集熱手段の温度が前記蓄熱手段の温度以下、かつ、前記居室の温度が予め定められた第１の温度α１よりも高い場合、前記集熱手段の熱エネルギーの前記蓄熱手段への供給及び前記蓄熱手段の熱エネルギーの前記居室への供給をいずれも停止する停止工程をさらに含む請求項１記載の居室の温度制御方法。
【請求項３】
前記集熱手段の温度が前記蓄熱手段の温度以下、かつ、前記居室の温度が予め定められた前記第１の温度α１以下、しかも、前記蓄熱手段の温度が、予め定められた第２の温度α２未満の場合、前記停止工程を行う請求項２記載の居室の温度制御方法。
【請求項４】
前記集熱手段の温度が前記蓄熱手段の温度以下、かつ、前記居室の温度が予め定められた前記第１の温度α１以下、しかも、前記蓄熱手段の温度が、予め定められた前記第２の温度α２以上の場合、前記集熱手段の熱エネルギーの前記蓄熱手段への供給を停止しかつ前記蓄熱手段の熱エネルギーを前記居室へ供給する放熱工程をさらに含む請求項３記載の居室の温度制御方法。
【発明の詳細な説明】
【技術分野】
【０００１】
本発明は、快適な室内環境を実現しうる居室の温度制御方法に関する。
【背景技術】
【０００２】
下記特許文献１には、基礎と床とで囲まれる床下空間に、エアコン室内機と蓄熱部とを配した建物が開示されている。この建物では、エアコン室内機から供給される熱風を用いて、蓄熱部に熱エネルギーが蓄えられる。そして、エアコン室内機を停止させた後は、蓄熱部が放熱することにより、床が温められ、床暖房が行われる。
【先行技術文献】
【特許文献】
【０００３】
【特許文献１】特開２００５−４２９５８号公報
【発明の概要】
【発明が解決しようとする課題】
【０００４】
本発明は、集熱手段及び蓄熱手段の熱エネルギーを有効に利用した居室の温度制御方法を提供することを主たる目的としている。
【課題を解決するための手段】
【０００５】
本発明は、熱エネルギーを集める集熱手段、熱エネルギーを蓄える蓄熱手段、前記集熱手段の熱エネルギーで温められた空気を前記蓄熱手段に供給する蓄熱流路、及び、前記蓄熱手段で温められた空気を居室へ供給する放熱流路を含む建物において、前記居室の温度を制御するための方法であって、前記集熱手段の温度が前記蓄熱手段の温度よりも高い場合、前記集熱手段の熱エネルギーを前記蓄熱手段に供給し、かつ、前記蓄熱手段の熱エネルギーを前記居室へ供給しない蓄熱工程を含むことを特徴とする。
【０００６】
本発明に係る前記居室の温度制御方法は、前記集熱手段の温度が前記蓄熱手段の温度以下、かつ、前記居室の温度が予め定められた第１の温度α１よりも高い場合、前記集熱手段の熱エネルギーの前記蓄熱手段への供給及び前記蓄熱手段の熱エネルギーの前記居室への供給をいずれも停止する停止工程をさらに含むのが望ましい。
【０００７】
本発明に係る前記居室の温度制御方法は、前記集熱手段の温度が前記蓄熱手段の温度以下、かつ、前記居室の温度が予め定められた前記第１の温度α１以下、しかも、前記蓄熱手段の温度が、予め定められた第２の温度α２未満の場合、前記停止工程を行うのが望ましい。
【０００８】
本発明に係る前記居室の温度制御方法は、前記集熱手段の温度が前記蓄熱手段の温度以下、かつ、前記居室の温度が予め定められた前記第１の温度α１以下、しかも、前記蓄熱手段の温度が、予め定められた前記第２の温度α２以上の場合、前記集熱手段の熱エネルギーの前記蓄熱手段への供給を停止しかつ前記蓄熱手段の熱エネルギーを前記居室へ供給する放熱工程をさらに含むのが望ましい。
【発明の効果】
【０００９】
本発明の居室の温度制御方法は、熱エネルギーを集める集熱手段、熱エネルギーを蓄える蓄熱手段、集熱手段の熱エネルギーで温められた空気を蓄熱手段に供給する蓄熱流路、及び、蓄熱手段で温められた空気を居室へ供給する放熱流路を含む建物において行われる。
【００１０】
本発明では、集熱手段の熱エネルギーを蓄熱手段に供給される。従って、集熱手段の熱エネルギーを確実に蓄熱手段に蓄えることができる。また、本発明では、集熱手段の温度が蓄熱手段の温度よりも高い場合、蓄熱手段で熱エネルギーは、居室へ供給されない。蓄熱手段の温度が高い場合、居室の温度も一般的に高いと考えられるため、このような場合、熱エネルギーの消費を抑えることが適切である。また、蓄熱手段で熱エネルギーを奪われた低温の空気が居室へ供給されないため、快適な室内環境が実現される。
【図面の簡単な説明】
【００１１】
【図１】本実施形態の居室の温度制御方法が用いられる建物の構造を概念的に示す断面図である。
【図２】集熱手段、蓄熱手段、蓄熱流路及び放熱流路を概念的に示す断面図である。
【図３】集熱手段を概念的に示す斜視図である。
【図４】集熱手段である二重サッシの断面図である。
【図５】蓄熱流路及び放熱流路を概念的に示す拡大図である。
【図６】居室の温度制御システムのフローチャートである。
【図７】蓄熱工程を説明する断面図である。
【図８】放熱工程を説明する断面図である。
【発明を実施するための形態】
【００１２】
以下、本発明の実施の一形態が図面に基づき説明される。
本発明の居室の温度制御方法は、例えば、一般的な住宅やビル等に適用される。
図１は、本実施形態の居室の温度制御方法が用いられる建物Ｂの一例を示す断面図である。
【００１３】
図１に示されるように、建物Ｂは、例えば、地面に固定される基礎２、基礎２の上方で支持される１階の床３、及び、基礎２と床３とで囲まれる床下空間４を有している。また、本実施形態の建物Ｂは、２階建ての住宅であるが、このような態様に限定されるものではない。
【００１４】
基礎２の上面側には、外壁７が固定されている。外壁７には、複数の開口部８が設けられている。開口部８は、屋内Ｓｉと屋外Ｓｏとを連通し得る。
【００１５】
本実施形態の床下空間４には、屋外Ｓｏの空気（以下、単に「外気」ということがある。）Ａｏを床下空間に取り入れる取り入れ口１３と、床下空間４の空気（以下、単に「床下空気」ということがある。）Ａｉを建物Ｂ内の居室Ｌへ供給する取り出し口１４とが設けられている。
【００１６】
取り入れ口１３は、例えば、基礎２を貫通して、床下空間４と屋外Ｓｏとの間を連通する孔である。
【００１７】
取り出し口１４は、例えば、居室Ｌの間仕切り壁９の内部を上下にのびる空気流路９ａの下端に設けられている。空気流路９ａは、上端側で居室Ｌと連通している。
【００１８】
図２は、本実施形態の居室の温度制御方法を実現する温度制御システムを説明する断面図である。本実施形態の温度制御システムは、熱エネルギーを集める集熱手段１５、熱エネルギーを蓄える蓄熱手段１６、集熱手段１５の熱エネルギーで温められた空気を蓄熱手段１６に供給する蓄熱流路１７、及び、蓄熱手段１６温められた空気を居室Ｌへ供給する放熱流路１８を含んでいる。これにより、日射による熱エネルギーが、蓄熱流路１７を介して蓄熱手段１６に蓄えられる。蓄熱手段１６に蓄えられた熱エネルギーが居室Ｌに用いられることにより、建物内を暖房することができる。従って、快適な室内環境が実現される。
【００１９】
本実施形態の蓄熱手段１６は、床下空間４内に配置されている。蓄熱手段１６は、例えば、空気が流出入するパイプ部２０と、パイプ部２０を介して熱エネルギーを蓄熱する蓄熱部２１とを含んでいる。
【００２０】
蓄熱部２１は、本実施形態では、パイプ部２０を被覆するコンクリート材料である。このような蓄熱部２１は、剛性が高く、耐久性に優れる。蓄熱部２１のコンクリートとしては、例えば、熱伝導率が１．６〜１．８（Ｗ／ｍ・Ｋ）のものが望ましい。これにより、熱エネルギーが、効果的に蓄熱される。蓄熱部２１は、コンクリート材料に限定されるものではなく、例えば、水やレンガ等が好適に採用される。
【００２１】
蓄熱部２１は、例えば、断熱材２２で覆われている。これにより、蓄熱部２１に蓄えられた熱エネルギーが有効に維持される。断熱材２２は、耐熱性及び耐衝撃性に優れる、例えばポリスチレンフォーム、ウレタンフォーム、又はフェノールフォーム等が望ましい。
【００２２】
パイプ部２０は、蓄熱流路１７から熱エネルギーを持った空気（以下、「暖空気」という場合がある）Ａｗを蓄熱部２１へ案内する。パイプ部２０は、暖空気Ａｗを蓄熱部２１の内部に供給する供給パイプ２０ａと、蓄熱部２１の内部で暖空気Ａｗを蓄熱させる蓄熱パイプ２０ｂと、暖空気Ａｗを蓄熱部２１の内部から排出する排出パイプ２０ｃとを含んでいる。パイプ部２０の材料は、例えば、ポリエチレン等の合成樹脂や金属等が望ましい。
【００２３】
本実施形態の集熱手段１５は、開口部８に取り付けられる二重サッシ３０を含んでいる。集熱手段１５は、１つの二重サッシで構成されるものに限定されず、複数の二重サッシで構成されるものでも良い。
【００２４】
二重サッシ３０は、開口部８の屋外Ｓｏ側に配された外側サッシ３１と、開口部８の屋内Ｓｉ側に配された内側サッシ３２と、外側サッシ３１と内側サッシ３２との間のサッシ空間３３とを有している。
【００２５】
図３は、二重サッシ３０を概念的に示す斜視図である。図４は、二重サッシ３０の断面図である。図３及び図４に示されるように、外側サッシ３１及び内側サッシ３２は、サッシ幅の略半分の大きさを有する一対の外側サッシ部３１ａ、３１ｂ、及び一対の内側サッシ部３２ａ、３２ｂからなり、引違い窓として構成されている。これらの各サッシ部３１ａ、３１ｂ、３２ａ、３２ｂは、開口部８に固着されるサッシ枠３４によって保持されている。
【００２６】
サッシ枠３４は、開口部８の上縁に配される上枠３４ａと、下縁に配される下枠３４ｂと、上枠３４ａと下枠３４ｂとを継ぐ左右一対の側枠３４ｃ、３４ｃとを含んでいる。
【００２７】
上枠３４ａ及び下枠３４ｂには、屋外Ｓｏ側において、サッシ空間３３に向かって突出し、かつサッシ幅方向に連続してのびる一対の外側レール部３５ａ、３５ｂが設けられている。さらに、上枠３４ａ及び下枠３４ｂには、屋内Ｓｉ側において、サッシ空間３３に向かって突出し、かつサッシ幅方向に連続してのびる一対の内側レール部３６ａ、３６ｂがそれぞれ設けられている。
【００２８】
外側レール部３５ａ、３５ｂ及び内側レール部３６ａ、３６ｂは、各外側サッシ部３１ａ、３１ｂ、及び各内側サッシ部３２ａ、３２ｂの各上下端をそれぞれ狭持し、かつサッシ幅方向にスライド可能に保持しうる。
【００２９】
このような二重サッシ３０は、サッシ空間３３に空気層を形成することができる。サッシ空間３３の空気層は、例えば、日差しが比較的強い冬晴れの日において、日射によって暖められる。このため、サッシ空間３３には、熱エネルギーを持った暖空気Ａｗが形成される。
【００３０】
二重サッシ３０は、外側サッシ３１のガラスの日射侵入率が、内側サッシ３２のガラスの日射侵入率よりも大きいのが望ましい。これにより、サッシ空間３３内に日射が多く取り込まれ、かつ、サッシ空間３３内の日射の居室Ｌ側への侵入が抑制される。このため、サッシ空間３３内の空気が、効率良く暖められる。
【００３１】
二重サッシ３０は、南東から南西までの方角を向いて設けられるのが望ましい。これにより、太陽による自然エネルギーを効果的に取り入れることができる。
【００３２】
二重サッシ３０が設けられる開口部８は、開口面積が、好ましくは建物Ｂの延べ床面積に対して１０〜２０％である。開口面積が建物Ｂの延べ床面積の１０％未満の場合、自然エネルギーを効果的に取り入れることができないおそれがある。開口面積が建物Ｂの延べ床面積の２０％を超える場合、建物Ｂの断熱性が低下するおそれがある。
【００３３】
サッシ空間３３には、床下空間４の空気が供給される供給部３８が設けられている。本実施形態の供給部３８は、サッシ空間３３と床下空間４とを継ぐ流路である。
【００３４】
供給部３８は、本実施形態では、下枠３４ｂの他方の側枠（図３では、右側の側枠）３４ｃ側に設けられた供給口３９を介してサッシ空間３３と連通している。
【００３５】
図２に示されるように、蓄熱流路１７は、サッシ空間３３の日射によって暖められた暖空気Ａｗを蓄熱手段１６に供給している。蓄熱流路１７は、サッシ空間３３と蓄熱部２１とを連通している。
【００３６】
蓄熱流路１７は、導出部４０と第１切換手段４５とを有している。
【００３７】
図３に示されるように、導出部４０は、本実施形態では、一方の側枠（図３では、左側の側枠）３４ｃに設けられた導出口４１、一方の側枠３４ｃに沿って上下にのびる枠体４２、及び枠体４２と第１切換手段４５（図２に示す）とを接続する案内部４３を含んで構成されている。
【００３８】
導出口４１は、外側サッシ３１と内側サッシ３２との間の側枠３４ｃの上部において、サッシ空間３３と枠体４２とを連通している。これにより、供給口３９から供給された床下空気Ａｉが、サッシ空間３３内を大きく巡回するため、日射による熱エネルギーを効果的に吸収する。
【００３９】
枠体４２は、その内部が中空状に形成されている。本実施形態の枠体４２は、サッシ枠３４の一方の側枠３４ｃの外側に設けられている。枠体４２の下端には、案内部４３が接続される連通口４４が設けられている。
【００４０】
図５は、蓄熱流路１７及び放熱流路１８を概念的に示す図である。図５に示されるように、案内部４３には、サッシ空間３３（図３に示す）内の暖空気Ａｗをパイプ部２０に送風する第１送風部４６が設けられている。第１送風部４６は、サッシ空間３３内を負圧にして、パイプ部２０に効果的に暖空気Ａｗを供給する。
【００４１】
第１切換手段４５は、集熱手段１５からの暖空気Ａｗ又は床下空間４からの床下空気Ａｉのいずれかを蓄熱手段１６に接続し得る。このようにサッシ空間３３の暖空気Ａｗは、枠体４２及び案内部４３から第１切換手段４５を介して蓄熱手段１６に供給可能になる。
【００４２】
第１切換手段４５は、本実施形態では、第１分岐管４７と、第１弁４８と、第２弁４９とを含んでいる。
【００４３】
本実施形態の第１分岐管４７は、供給パイプ２０ａが接続される主部４７ａ、案内部４３と連通する第１分岐部４７ｂ、及び床下空間４と連通する第２分岐部４７ｃからなる。
【００４４】
第１弁４８は、本実施形態では、第１分岐部４７ｂに接続されている。第１弁４８は、案内部４３と供給パイプ２０ａとの空気の流れを遮断可能にする。
【００４５】
第２弁４９は、本実施形態では、第２分岐部４７ｃに接続されている。第２弁４９は、床下空間４と供給パイプ２０ａとの空気の流れを遮断可能にする。
【００４６】
放熱流路１８は、第２切換手段５０と送風ユニット５５とを有している。
【００４７】
第２切換手段５０は、蓄熱手段１６からの空気を、居室Ｌ又は床下空間４に接続している。第２切換手段５０は、本実施形態では、第２分岐管５１と、第３弁５２と、第４弁５３とを含む。
【００４８】
本実施形態の第２分岐管５１は、排出パイプ２０ｃが接続される主部５１ａ、送風ユニット５５と排出パイプ２０ｃとを連通する第１分岐部５１ｂ、及び床下空間４と排出パイプ２０ｃとを連通する第２分岐部５１ｃからなる。
【００４９】
第３弁５２は、本実施形態では、第１分岐部５１ｂに接続されている。第３弁５２は、送風ユニット５５と蓄熱パイプ２０ｂとの空気の流れを遮断可能にする。
【００５０】
第４弁５３は、本実施形態では、第２分岐部５１ｃに接続されている。第４弁５３は、床下空間４と蓄熱パイプ２０ｂとの空気の流れを遮断可能にする。
【００５１】
送風ユニット５５には、蓄熱手段１６の空気を居室Ｌへ送る第２送風部５７が設けられている。第２送風部５７は、パイプ部２０内を負圧にして、蓄熱部２１で暖められた空気Ａｗを、取り出し口１４、空気流路９ａを介して、居室Ｌに供給する。
【００５２】
送風ユニット５５の下流側の端部は、本実施形態では、取り出し口１４（図２に示す）の下方で、上方に向かって開口している。送風ユニット５５の一端は、本実施形態では、第３弁５２と接続されている。
【００５３】
以上のような温度制御システムを利用して、居室Ｌの温度制御方法が説明される。図６に示されるように、本実施形態の温度制御方法は、蓄熱工程、停止工程、及び放熱工程を含んでいる。
【００５４】
図７は、蓄熱工程を説明する断面図である。図７に示されるように、蓄熱工程は、集熱手段１５の暖空気を蓄熱手段１６に供給して蓄熱部２１で熱エネルギーを蓄え、かつ、蓄熱手段１６の熱エネルギーを居室Ｌに供給しない工程である。このような蓄熱工程は、例えば、日差しが比較的強い冬晴れの日の昼の時間帯等に行われる。具体的には、サッシ空間３３内の温度が蓄熱部２１の温度よりも高い場合である。
【００５５】
蓄熱工程では、第１切換手段４５の切り替えによって、第１弁４８が開かれ、第２弁４９が閉じられる。また、第２切換手段５０の切り替えによって、第４弁５３が開かれ、第３弁５２が閉じられる。さらに、第１送風部４６が運転されるとともに、第２送風部５７が停止される。
【００５６】
これにより、日射によって温められたサッシ空間３３内の暖空気Ａｗが、床下空間４に排出されることなく、導出部４０から蓄熱手段１６に案内され、確実に蓄熱部２１で熱交換される。また、蓄熱部２１の温度が高い場合、居室Ｌの温度も一般的に高いと考えられるため、このような場合、熱エネルギーの消費を抑えることが適切である。さらに、蓄熱手段１６で熱交換された低温の空気Ａｅは、第４弁５３を通過して床下空間４に排気される。このように、熱エネルギーを奪われた空気Ａｅは、居室Ｌに供給されないため、居室Ｌの快適な環境が実現される。排気された空気Ａｅは、例えば、夜間での居室Ｌへの供給に備える。
【００５７】
停止工程は、集熱手段１５の熱エネルギーの蓄熱手段１６への供給及び蓄熱手段１６の熱エネルギーの供給をいずれも停止する工程である。このような停止工程は、例えば、日差しが弱い昼の時間帯等に行われる。具体的には、停止工程は、サッシ空間３３内の温度が蓄熱部２１の温度以下であり、かつ、居室Ｌの温度が予め定められた第１の温度α１を超える場合に行われる。
【００５８】
停止工程では、第１弁４８乃至第４弁５３が閉じられる。第１送風部４６及び第２送風部５７が停止される。これにより、蓄熱部２１の温度以下のサッシ空間３３内の空気が蓄熱部２１に送られることが無いため、蓄熱部２１の温度が高く保たれる。また、蓄熱手段１６の高い温度の空気や、床下空間４の低い温度の空気が居室Ｌに送られることが無いため、居室Ｌの快適な環境が実現される。このような居室Ｌの第１の温度α１は、好ましくは１９度以上、より好ましくは２１度以上である。
【００５９】
また、停止工程は、例えば、肌寒い夕暮れの時間帯等に行われる。具体的には、停止工程は、サッシ空間３３内の温度が蓄熱部２１の温度以下であり、かつ、居室Ｌの温度が予め定められた第１の温度α１以下であり、しかも蓄熱部２１の温度が予め定められた第２の温度α２未満の場合に行われる。この停止工程でも、第１弁４８乃至第４弁５３が閉じられる。第１送風部４６及び第２送風部５７が停止される。これにより、居室Ｌが第１の温度α１以下の場合に、蓄熱手段１６からの熱エネルギーの小さい空気が居室Ｌに案内されることがなく、居室Ｌの環境が維持される。また、蓄熱部２１の熱エネルギーが保持されるため、蓄熱工程に移った場合、早急に熱エネルギーを蓄えることができる。このような蓄熱部２１の第２の温度α２は、好ましくは１６度以下、より好ましくは１９度以下である。
【００６０】
図８は、放熱工程を説明する断面図である。図８に示されるように、放熱工程は、集熱手段１５の熱エネルギーの蓄熱手段１６への供給を停止し、かつ、蓄熱手段１６の熱エネルギーを居室Ｌへ供給する工程である。放熱工程は、例えば、日差しの少ない冬曇りの日や、冬の夜間等に使用される。具体的には、サッシ空間３３内が蓄熱部２１の温度以下、かつ、居室Ｌの温度が予め定められた第１の温度α１以下、しかも、蓄熱部２１の温度が予め定められた第２の温度α２以上の場合である。
【００６１】
放熱工程では、第１切換手段４５の切り替えによって、第１弁４８が閉じられ、第２弁４９が開かれる。第２切換手段５０の切り替えによって、第４弁５３が閉じられ、第３弁５２が開かれる。第１送風部４６が停止されるとともに、第２送風部５７が運転される。
【００６２】
これにより、床下空気Ａｉが、第２分岐部４７ｃを通って蓄熱手段１６で熱エネルギーを受け取って暖空気Ａｗとなる。そして、暖空気Ａｗは、第４弁５３から床下空間４に排気されることなく、送風ユニット５５及び取り出し口１４を通って、効果的に居室Ｌに供給される。
【００６３】
従って、本実施形態の居室の温度制御方法では、日中等の高温の時間帯で、集熱手段１５で熱エネルギーを集めて、これを蓄熱手段１６で蓄え、夜間等の低温の時間帯で、蓄熱手段１６で暖められた床下空気Ａｉで居室Ｌを暖めることができるため、快適な室内温度環境を実現することができる。また、これらの作用が、エアコン等の空調機器を使用することなく、自然エネルギーを利用して達成できる。さらに、日差しがあまり強くない日中では、蓄熱部２１の熱エネルギーを保持できるため、熱エネルギーの消費を抑えることができる。
【００６４】
蓄熱工程、停止工程及び放熱工程の切り替えは、例えば、サッシ空間３３内の温度、居室Ｌの温度、及び、蓄熱部２１の温度を自動計測し、コンピュータ等によって自動制御されるのが望ましい。なお、各工程の切り替えは、居住者が操作してもよい。
【００６５】
本発明の居室の温度制御方法は、サッシ空間３３の熱エネルギーを利用するものに限定されるものではなく、例えば、屋根面や外壁面から集めた熱エネルギーを利用するものであっても良い。
【００６６】
以上、本発明の特に好ましい実施形態について詳述したが、本発明は図示の実施形態に限定されることなく、種々の態様に変形して実施しうる。
【符号の説明】
【００６７】
１５      集熱手段
１６      蓄熱手段
１７      蓄熱流路
１８      放熱流路
Ｂ      建物
Ｌ      居室
【図１】
2015183961.tif 000003
【図２】
2015183961.tif 000004
【図３】
2015183961.tif 000005
【図４】
2015183961.tif 000006
【図５】
2015183961.tif 000007
【図６】
2015183961.tif 000008
【図７】
2015183961.tif 000009
【図８】
2015183961.tif 000010